(57)【特許請求の範囲】
【請求項１】
第１および第２のウィンドウに仮買い物情報を表示可能な端末装置に商品情報および仮買い物情報を送信する電子ショッピングシステムのサーバにおいて、
前記サーバから受信した商品情報の中から選択された購入希望商品の情報を前記端末装置から取得して、現在のショッピング状況を示す仮買い物情報として仮買い物情報記憶手段に記憶させ、前記端末装置からのショッピング状況の問い合わせに応答して、前記仮買い物記憶手段に記憶されている前記仮買い物情報を前記端末装置に送信する仮買い物情報作成手段と、
前記仮買い物情報作成手段から取得されかつ前記第１のウィンドウに表示された仮買い物情報に対する修正仮買い物情報を前記端末装置から受信し、前記仮買い物情報記憶手段に記憶されている前記仮買い物情報を前記修正仮買い物情報に変更し、前記仮買い物情報作成手段から取得されかつ前記第２のウィンドウに表示された仮買い物情報に対して買い物申し込みがされた際に第２のウィンドウに表示されている仮買い物情報を前記端末装置から受信する手段と、
前記仮買い物申し込みに応答して、前記受信されて前記仮買い物情報記憶手段に記憶されている修正仮買い物情報に含まれている前記購入希望商品の数量に関する情報と前記受信された仮買い物情報に含まれている前記購入希望商品の数量に関する情報とを比較して整合性を判断し、整合性がとれていない場合に、確認メッセージを前記端末装置に送信する手段とを具備する電子ショッピングシステムのサーバ。
【請求項２】
前記仮買い物情報は前記購入希望商品の商品名に関する情報をさらに含み、前記仮買い物手段により作成された前記仮買い物情報の商品名および数量に関する情報を基に前記購入希望商品の合計金額を計算し、前記合計金額が所定額を越えると、前記購入希望商品の送料を無料とする演算を行う補足演算手段をさらに具備する請求項１記載の電子ショッピングシステムのサーバ。
【請求項３】
前記端末装置との間で情報の送受信を行う場合、電子証明書を用いて互いに認証を行なうと共に、この電子証明書を用いた認証の他にＩＤ番号、パスワードを用いて前記端末との間の互いの認証を行い、これら認証が正しい場合にのみ前記端末装置との間で前記情報の送受信を許可する認証手段をさらに具備する請求項１記載の電子ショッピングシステムのサーバ。
【請求項４】
前記仮買い物情報は前記購入希望商品の単価及び送料に関する情報をさらに含み、
前記端末装置から前記仮買い物情報が返送された場合、この返送された前記仮買い物情報に含まれる前記単価及び送料が当該サーバで持っている本来の単価又は送料と異なっていれば、警告を発するデータ改変防止手段をさらに具備する請求項１記載の電子ショッピングシステムのサーバ。
【請求項５】
前記端末装置において前記仮買い物情報に含まれる商品に対する商品購入の選択があると、前記端末からユーザＩＤを受信して、前記ユーザＩＤを利用して検索されたカード番号、個人秘密情報及び購入希望商品の合計額をカード会社処理装置に送信して与信調査を依頼し、かつ前記カード会社処理装置からのカードの有効期限、損失カードの有無、盗難カードの有無及び利用限度額内の有無に関する与信調査結果を基に商品の購入可能又は不可能のメッセージを前記端末装置に送信する手段をさらに具備する請求項１記載の電子ショッピングシステムのサーバ。
【請求項６】
前記端末装置において前記仮買い物情報に対する申込書記入の選択があると、少なくとも商品の届け先を記入するための商品発送情報入力フォームを前記端末装置に送信して前記端末装置のユーザに前記商品の届け先の入力を促し、かつ前記仮買い物情報記憶手段に記憶されている前記仮買い物情報に含まれる商品に対して購入の申し込みがなされた場合に前記端末装置から前記仮買い物情報を受信する手段をさらに具備する請求項１記載の電子ショッピングシステムのサーバ。
【発明の詳細な説明】
【０００１】
【発明の属する技術分野】
本発明は、サーバから端末に対して商品情報を送信し、端末において選択された購入希望商品の情報をサーバに返送する電子ショッピングシステムに関する。
【０００２】
【従来の技術】
このような電子ショッピングシステムは、サーバに通信網として例えばインターネットを介して複数のショッピング用端末装置を接続し、サーバから複数の商品を含む商品情報を各ショッピング用端末装置に送信し、これら端末装置において複数の商品から選択した購入希望の商品情報をサーバに返送する。
【０００３】
このサーバでは、各ショッピング用端末装置から返送された購入希望商品情報を受け取り、この商品の発注依頼を商品販売店に行い、その後、カードを用いての購入商品の金額の決済を銀行やカード会社、商品販売店に行うものとなっている。
【０００４】
このようなショッピングで、ショッピング用端末装置とサーバとの間で通信を行う場合、サーバは、ユーザからの注文を受けたショッピング用端末装置に対してコンピュータの内部的に、そのユーザの注文を受けるメモリ領域を番号を割り振って管理している。そして、サーバでは、ショッピング用端末装置からの購入希望商品情報を受けると、この情報を商品毎に購入の注文として上記メモリ領域に記憶している。
【０００５】
【発明が解決しようとする課題】
通常のショッピングでは、商品を購入する場合、１つの商品を購入することは少なく、多数の商品を纏めて購入することが普通であり、電子ショッピングシステムでも同様である。
【０００６】
しかも、１度購入する商品を決めても、その後、購入することが無くなる場合もあり、そうした場合の現在のショッピング状況、例えば現在の購入商品の総額も直ぐに分かると、実際の販売店でショッピングするような感覚でショッピングできる。
【０００７】
しかしながら、上記電子ショッピングシステムでは、サーバにおいて商品毎にそのまま購入希望商品情報を購入の本注文として受けてしまう機能であり、現在のショッピング状況が直ぐに分かるような機能は備えられておらず、かつ購入商品を変更するような機能も備えられておらず、その機能が要求されている。
【０００８】
又、上記電子ショッピングシステムでは、ユーザの注文を受けるメモリ領域を番号を割り振って管理しているが、このショッピングのときにショッピング用端末装置のディスプレイには、サーバでのメモリ領域の番号が表示されるため、インターネット通信技術に関する知識を有するものであれば、ショッピング用端末装置での操作で上記メモリ領域を改ざんしまうことが可能となっている。
【０００９】
すなわち、メモリ領域の割り付け番号は、ショッピング用端末装置のディスプレイでユーザに見せないようにすることも可能であるが、ＷＷＷ（ワールド・ワイド・ウエブ）の場合はＨＴＭＬ言語がショッピング用端末装置側のユーザで見ることができるので、改変される虞がある。
【００１０】
このため、メモリ領域の割り付け番号、例えば番号「１１２」に付されたメモリ領域が存在すれば、このメモリ領域に、他のユーザの割り付け番号の改ざんによって、他のユーザでショッピングした購入希望商品情報が誤って入ってしまう虞がある。
【００１１】
又、サーバから送られてきた商品情報のうち商品に関する補足情報、例えば商品の価格や送料が変えられる虞もあり、この場合には、電子ショッピングの信頼性が低下する。
【００１２】
そこで本発明は、現在のショッピング状況を容易に把握できる電子ショッピングシステムを提供することを目的とする。又、本発明は、他のユーザの購入希望商品が誤って入ることを防止できる電子ショッピングシステムを提供することを目的とする。又、本発明は、商品に関する価格等の補足情報の改ざんを防止できる電子ショッピングシステムを提供することを目的とする。
【００１３】
【課題を解決するための手段】
請求項１によれば、サーバ及びその端末から成り、サーバから端末に対して商品情報を送信する電子ショッピングシステムにおいて、端末で選択された購入希望商品の情報に基づいてサーバ側で現在のショッピング状況を示す仮買い物情報を作成し、かつこの仮買い物情報を端末に送信する仮買い物手段を備えた電子ショッピングシステムである。
【００１４】
請求項２によれば、請求項１記載の電子ショッピングシステムにおいて、サーバと端末との間で情報の送受信を行う場合、電子証明書を用いて互いに認証を行い、両者の認証が正しい場合にのみサーバとの間で情報の送受信を行う認証手段を備えている。
【００１５】
請求項３によれば、請求項２記載の電子ショッピングシステムにおいて、認証手段は、電子証明書の他にＩＤ番号、パスワードを用いてサーバと端末との間の互いの認証を行う機能を有している。
【００１６】
請求項４によれば、請求項１記載の電子ショッピングシステムにおいて、端末から仮買い物情報をサーバに返送した場合、サーバに返送された仮買い物情報に含まれる商品情報がサーバ側で持っている本来の商品情報と異なっていれば、警告を発するデータ改変防止手段を備えている。
【００１７】
請求項５によれば、請求項１記載の電子ショッピングシステムにおいて、端末で選択された最新の購入希望商品の情報を記憶し、端末からサーバに送信する購入希望商品情報と最新の購入希望商品情報との整合性が取れていなければ、その旨を報知するショッピング確認手段を備えている。
【００１８】
請求項６によれば、請求項１記載の電子ショッピングシステムにおいて、商品情報のうち商品に関する補足情報を呼び出し、この補足情報を購入希望商品情報に基づいて演算処理する補足演算手段を備えている。
【００１９】
【発明の実施の形態】
以下、本発明の一実施の形態について図面を参照して説明する。図１は電子ショッピングシステムの全体構成図であり、図２はその具体的な構成図である。
【００２０】
電子ショッピングシステムの全体構成を説明すると、電子ショッピングの主幹会社には、サーバ１が配置されている。このサーバ１には、通信網としてインターネット２を介して複数のショッピング用端末装置３−１〜３−ｎが接続されている。
【００２１】
これらショッピング用端末装置３−１〜３−ｎは、サーバ１からの商品情報を受信し、この商品情報から選択した購入希望商品情報をサーバ１に返送する機能を有している。
【００２２】
又、サーバ１には、商品販売店の端末４、カード会社処理装置５及び証明書発行装置６が接続されている。商品販売店の端末４は、サーバ１からの発注情報を受けて、この発注された商品をユーザに発送するところの端末である。
【００２３】
カード会社処理装置５は、サーバ１から購入希望商品情報及びユーザの個人情報を受け取り、これら情報に基づいてユーザに対する与信調査を行う機能を有している。
【００２４】
この与信調査は、例えばユーザの持っているカードが有効期限内であるかどうか、損失カードであるか否か、盗まれたカードか否か、カード利用限度額以内であるか否か等の調査である。
【００２５】
このカード会社処理装置５は、購入希望商品情報及びユーザの個人情報に基づいてユーザに対する与信調査を行うと、ユーザの商品購入に関する情報、すなわちユーザ個々に付けられた受付け番号に対する売上げ額をリアルタイムで更新する機能を有している。
【００２６】
証明書発行装置６は、サーバ１とショッピング用端末装置３−１〜３−ｎとの間の通信を、電子決済システムの会員となったショッピング用端末装置３−１〜３−ｎとの間だけに特定するために、ユーザの電子証明書Ｋu をショッピング用端末装置３−１〜３−ｎに送信するとともに、このサーバ１にもユーザの電子証明書Ｋu と対となっている電子証明書ＫS を送信する機能を有している。
【００２７】
次にショッピング用端末装置３−１〜３−ｎ及びサーバ１の具体的な構成について図２を参照して説明する。ショッピング用端末装置３−１〜３−ｎの主制御部１０には、通信部１１からインターネット２を介してサーバ１が接続され、かつ駆動部１２を介してディスプレイ１３、入出力部１４を介してキーボード１５及びマウス１６及びメモリ１７が接続されている。
【００２８】
又、これらショッピング用端末装置３−１〜３−ｎには、主制御部１０の指令により動作する認証部１８ａが備えられている。この認証部１８ａは、サーバ１との間において互いに認証を行い、両者の認証が正しい場合にのみサーバ１との間で接続を行い、このサーバ１との間で情報の送受信を許可する機能を有している。
【００２９】
一方、サーバ１は、認証部１８ｂ、仮買い物部１９、データ改変防止部２０、ショッピング確認部２１及び補足演算部２２の各機能を有し、さらにはメモリ２３、ディスプレイ２４を備えている。
【００３０】
このうち認証部１８ｂは、ショッピング用端末装置３−１〜３−ｎ側の認証部１８ａと同様に、ショッピング用端末装置３−１〜３−ｎとの間において互いに認証を行い、両者の認証が正しい場合にのみショッピング用端末装置３−１〜３−ｎとの間で接続を行い、これらショッピング用端末装置３−１〜３−ｎとの間で情報の送受信を許可する機能を有している。
【００３１】
なお、サーバ１とショッピング用端末装置３−１〜３−ｎとの間を接続するには、互いに電子証明書を送って認証を行い、その他にユーザＩＤ番号、パスワードを送るものとなっている。
【００３２】
すなわち、これら認証部１８ａ、１８ｂは、それぞれサーバ１とショッピング用端末装置３−１〜３−ｎとの間の情報を符号化し、この情報の改ざんや変質を防止し、かつ通信相手である例えばショッピング用端末装置３−１〜３−ｎのみを特定して情報の送受信を行う機能を有するもので、例えば図３及び図４に示すような公知の認証方式を採用している。
【００３３】
すなわち、サーバ１では、図３に示すように商品情報等の平文Ｍをハッシュ関数ｆにかけて圧縮し、メッセージダイジェストＤを作成する。ここで、ハッシュ関数ｆは、可変長の情報を圧縮して、固定長の情報に変換する特殊関数であって、電子署名では、暗号化に係わる計算量を少なくし、結果を一定の長さにする。
このハッシュ関数を電子署名に用いる理由は、仮に署名（サイン）だけに電子署名を行った場合、この電子署名のデータ列を切り取って他の情報に貼り付けたとしても、例えばユーザ１ではこれを見破ることができないからである。
【００３４】
次にメッセージダイジェストＤをユーザの秘密鍵Ｇu で暗号化し、電子署名（ディジタル署名）Ｖを作成する。次に平文Ｍ、電子署名Ｖ及びサーバ１の電子証明書ＫS をまとめて共通鍵Ｇc で暗号化し、送信情報ＥＭを作成する。
【００３５】
ここで、サーバ１の電子証明書ＫS には、例えば氏名、電子メールアドレス、証明書の名前、証明書の運用規約を問い合わせ先、証明書の発行機関などが記載されかつ、サーバ１の公開鍵などが添付されている。
【００３６】
なお、ユーザの証明書Ｋu には、例えば氏名、電子メールアドレス、証明書の名前、証明書の運用規約を問い合わせ先、証明書の発行機関などが記載されかつ、ショッピング用端末装置３−１の公開鍵などが添付されている。
【００３７】
又、サーバ１では、ユーザの証明書Ｋu 及び共通鍵Ｇc をユーザの公開鍵Ｇo で暗号化し、電子封筒ＤＥを作成する。そして、サーバ１は、送信情報ＥＭ及び電子封筒ＤＥをショッピング用端末装置３−１に送信する。
【００３８】
これに対してショッピング用端末装置３−１は、図４に示すようにサーバ１から送信された送信情報ＥＭ及び電子封筒ＤＥを受け取り、このうち電子封筒ＤＥに対してユーザの公開鍵Ｇo により復号化し、共通鍵Ｇc を得る。
【００３９】
次にショッピング用端末装置３−１は、送信情報ＥＭに対して共通鍵Ｇc を用いて復号化し、平文Ｍ、電子署名Ｖ及びサーバの電子証明書Ｋs を得、このうち平文Ｍに対してハッシュ関数ｆをかけて圧縮し、メッセージダイジェストＤa を作成する。
【００４０】
又、ショッピング用端末装置３−１は、電子署名Ｖに対してサーバ１の公開鍵Ｇs により復号化し、メッセージダイジェストＤb を作成する。この後、ショッピング用端末装置３−１は、各メッセージダイジェストＤa とＤb とを比較し、これらが一致していれば送信情報ＥＭに改ざんや変質はなく、一致していなければ送信情報ＥＭに改ざんや変質があるとする。
【００４１】
又、別の認証方式としては、図５及び図６に示すような認証方式が用いられる。サーバ１では、図５に示すように商品情報等の平文Ｍをハッシュ関数ｆにかけて圧縮し、メッセージダイジェストＤを作成する。
【００４２】
ここで、ハッシュ関数ｆは、上記同様に、可変長の情報を圧縮して、固定長の情報に変換する特殊関数であって、電子署名では、暗号化に係わる計算量を少なくし、結果を一定の長さにする。このハッシュ関数を電子署名に用いる理由は、仮に署名（サイン）だけに電子署名を行った場合、この電子署名のデータ列を切り取って他の情報に貼り付けたとしても、例えばユーザ１ではこれを見破ることができないからである。
【００４３】
次にメッセージダイジェストＤをサーバの秘密鍵Ｇf で暗号化し、電子署名（ディジタル署名）Ｖを作成する。次に平文Ｍ、電子署名Ｖ及びサーバ１の電子証明書ＫS をまとめて共通鍵Ｇc で暗号化し、送信情報ＥＭを作成する。
【００４４】
ここで、サーバ１の電子証明書ＫS には、例えば氏名、電子メールアドレス、証明書の名前、証明書の運用規約を問い合わせ先、証明書の発行機関などが記載されかつ、サーバ１の公開鍵などが添付されている。
【００４５】
又、サーバ１では、共通鍵Ｇc をユーザの公開鍵Ｇo で暗号化し、電子封筒ＤＥを作成する。なお、ユーザの証明書Ｋu には、例えば氏名、電子メールアドレス、証明書の名前、証明書の運用規約を問い合わせ先、証明書の発行機関などが記載されかつ、ショッピング用端末装置３−１の公開鍵などが添付されている。
【００４６】
そして、サーバ１は、送信情報ＥＭ及び電子封筒ＤＥをショッピング用端末装置３−１に送信する。これに対してショッピング用端末装置３−１は、図６に示すようにサーバ１から送信された送信情報ＥＭ及び電子封筒ＤＥを受け取り、このうち電子封筒ＤＥに対してユーザの秘密鍵Ｇe により復号化し、共通鍵Ｇc を得る。
【００４７】
次にショッピング用端末装置３−１は、送信情報ＥＭに対して共通鍵Ｇc を用いて復号化し、平文Ｍ、電子署名Ｖ及びサーバの電子証明書Ｋs を得、このうち平文Ｍに対してハッシュ関数ｆをかけて圧縮し、メッセージダイジェストＤa を作成する。
【００４８】
又、ショッピング用端末装置３−１は、電子署名Ｖに対してサーバ１の公開鍵Ｇs により復号化し、メッセージダイジェストＤb を作成する。この後、ショッピング用端末装置３−１は、各メッセージダイジェストＤa とＤb とを比較し、これらが一致していれば送信情報ＥＭに改ざんや変質はなく、一致していなければ送信情報ＥＭに改ざんや変質があるとする。
【００４９】
仮買い物部１９は、ショッピング用端末装置３−１〜３−ｎから送信されてくる購入希望商品情報をディスプレイ２４に表示し、かつショッピング用端末装置３−１〜３−ｎ側で購入希望商品が選択された場合、実際の買い物かごを仮想したショッピングバックをメモリ２３上で作成し、このショッピングバック内に購入希望商品を入れ、かつショッピングバック内に入っている商品の情報を、現在のショッピング状況を示す仮買い物情報として一時的にメモリ２３に保持するとともにディスプレイ２４に表示する機能を有している。
【００５０】
データ改変防止部２０は、ショッピング用端末装置３−１〜３−ｎから送信された商品情報とサーバ１で持っている本来の商品情報とを比較し、商品に関する本質的な情報が異なっていれば、本来の商品情報と異なっている旨をメッセージとしてショッピング用端末装置に返送し、さらには警報を発する機能を有している。
【００５１】
ショッピング確認部２１は、商品情報から選択された最新の購入希望商品の情報をメモリ２３に記憶し、次にショッピング用端末装置３−１〜３−ｎから送られてくる購入希望商品情報と最新の購入希望商品情報との整合性が取れていなければ、その旨をメッセージとしてショッピング用端末装置３−１〜３−ｎに返送する機能を有している。
【００５２】
補足演算部２２は、商品情報のうち商品に関する補足情報、例えば商品の価格や送料等を記憶し、この補足情報を購入希望商品情報に基づいて演算処理して購入希望商品の総額、送料、これら購入希望商品の総額及び送料などを含めた合計額を求める機能を有している。
【００５３】
次に上記の如く構成された装置の作用について説明する。サーバ１は、常にインターネット２上に複数の商品を含む商品情報を送信している。
【００５４】
この状態に、例えばショッピング用端末装置３−１からサーバ１に対して電子証明書、ユーザＩＤ番号、パスワードをインターネット２上に送信すると、サーバ１はこれら電子証明書、ユーザＩＤ番号、パスワードを受け取り、電子ショッピングシステムの会員であるショッピング用端末装置３−１であることを認証する。
【００５５】
なお、ショッピング用端末装置３−１とサーバ１との各認証部１８ａ、１８ｂにより、ショッピング用端末装置３−１からサーバ１に対する認証が行われ、サーバ１からショッピング用端末装置３−１に対する認証も行われ、これらの認証が正しい場合にのみサーバ１とショッピング用端末装置３−１との間は、インターネット２を介して接続されて通信を行う。
【００５６】
この認証は、上記の通り、サーバ１では、図３に示すように平文Ｍをハッシュ関数ｆにかけて圧縮し、メッセージダイジェストＤを作成し、次にメッセージダイジェストＤをユーザの秘密鍵Ｇu で暗号化し、電子署名Ｖを作成する。
【００５７】
次に平文Ｍ、電子署名Ｖ及びサーバ１の電子証明書ＫS をまとめて共通鍵Ｇc で暗号化し、送信情報ＥＭを作成する。又、サーバ１では、ユーザの証明書Ｋu 及び共通鍵Ｇc をユーザの公開鍵Ｇo で暗号化し、電子封筒ＤＥを作成する。そして、サーバ１は、送信情報ＥＭ及び電子封筒ＤＥをショッピング用端末装置３−１に送信する。
【００５８】
これに対してショッピング用端末装置３−１は、図４に示すようにサーバ１から送信された送信情報ＥＭ及び電子封筒ＤＥを受け取り、このうち電子封筒ＤＥに対してユーザの公開鍵Ｇo により復号化し、共通鍵Ｇc を得る。
【００５９】
次にショッピング用端末装置３−１は、送信情報ＥＭに対して共通鍵Ｇc を用いて復号化し、平文Ｍ、電子署名Ｖ及びサーバの電子証明書Ｋs を得、このうち平文Ｍに対してハッシュ関数ｆをかけて圧縮し、メッセージダイジェストＤa を作成する。
【００６０】
又、ショッピング用端末装置３−１は、電子署名Ｖに対してサーバ１の公開鍵Ｇs により復号化し、メッセージダイジェストＤb を作成する。この後、ショッピング用端末装置３−１は、各メッセージダイジェストＤa とＤb とを比較し、これらが一致していれば送信情報ＥＭに改ざんや変質はなく、一致していなければ送信情報ＥＭに改ざんや変質があるとする。
【００６１】
又、別の認証方式を用いたとすれば、サーバ１では、図５に示すように平文Ｍをハッシュ関数ｆにかけて圧縮し、メッセージダイジェストＤを作成し、次にメッセージダイジェストＤをサーバの秘密鍵Ｇf で暗号化し、電子署名Ｖを作成する。
【００６２】
次に平文Ｍ、電子署名Ｖ及びサーバ１の電子証明書ＫS をまとめて共通鍵Ｇc で暗号化し、送信情報ＥＭを作成する。又、サーバ１では、共通鍵Ｇc をユーザの公開鍵Ｇo で暗号化し、電子封筒ＤＥを作成する。そして、サーバ１は、送信情報ＥＭ及び電子封筒ＤＥをショッピング用端末装置３−１に送信する。
【００６３】
これに対してショッピング用端末装置３−１は、図６に示すようにサーバ１から送信された送信情報ＥＭ及び電子封筒ＤＥを受け取り、このうち電子封筒ＤＥに対してユーザの秘密鍵Ｇe により復号化し、共通鍵Ｇc を得る。
【００６４】
次にショッピング用端末装置３−１は、送信情報ＥＭに対して共通鍵Ｇc を用いて復号化し、平文Ｍ、電子署名Ｖ及びサーバの電子証明書Ｋs を得、このうち平文Ｍに対してハッシュ関数ｆをかけて圧縮し、メッセージダイジェストＤa を作成する。
【００６５】
又、ショッピング用端末装置３−１は、電子署名Ｖに対してサーバ１の公開鍵Ｇs により復号化し、メッセージダイジェストＤb を作成する。この後、ショッピング用端末装置３−１は、各メッセージダイジェストＤa とＤb とを比較し、これらが一致していれば送信情報ＥＭに改ざんや変質はなく、一致していなければ送信情報ＥＭに改ざんや変質があるとする。
【００６６】
このようにしてサーバ１とショッピング用端末装置３−１との間で互いに認証が正しいとされると、これらサーバ１とショッピング用端末装置３−１との間は、インターネット２を介して接続され、サーバ１から送信された商品情報がショッピング用端末装置３−１に受信される。
【００６７】
このショッピング用端末装置３−１は、サーバ１からの商品情報を受信し、これをメモリ１７に記憶し、かつディスプレイ１３に表示する。ここで、商品販売店が例えば書店であれば、書籍の商品情報がディスプレイ１３に表示される。
【００６８】
先ず、ディスプレイ１３は、商品情報に含まれている複数の書籍の一覧が表示される。ユーザは、これら書籍の一覧からマウス１６等を操作して所望する書籍を選択すると、ディスプレイ１３には、例えば図７に示すような書籍の内容等を示す情報が表示される。
【００６９】
この書籍の表示欄には、例えば、書籍のタイトル「○△○△物語」、著者「××××著」、書籍コード「５−２１３−５４３２−１」、書籍のサイズ「Ｂ５変型」、頁数「３０１ページ」、定価「２４００円」、書籍の表紙、書籍の内容「本書は、……の物語である。」などが表示される。
【００７０】
又、書籍の表示欄の下方には、この書籍「○△○△物語」の目次を見るための「目次を見る」選択項目、サーバ１側で実際の買い物かごを仮想したショッピングバック内に入っている商品、ここでは書籍を見るための「ショッピングバックを見る」選択項目、ショッピングバック内に購入希望の商品を入れる「ショッピングバックに入れる」項目が表示され、これら選択項目がマウス等の操作により選択できるようになっている。
【００７１】
ここで、「ショッピングバックを見る」選択項目が選択されると、これがサーバ１側に送信され、サーバ１の仮買い物部１９は、メモリ２３に記憶されているショッピングバック内の購入希望商品の情報を検索し、この検索の結果、ショッピングバック内に購入希望商品が入っていなければ、図８に示すようなショッピングバック情報「あなたのショッピングバックには現在何も商品が入っていません」のメッセージをショッピング用端末装置３−１に送信する。
【００７２】
これにより、ショッピング用端末装置３−１のディスプレイ１３には、ショッピングバック情報「あなたのショッピングバックには現在何も商品が入っていません」のメッセージが表示される。
【００７３】
このショッピングバック情報の表示において、ユーザが「ショッピングに戻る」選択項目をマウス１６等により選択すると、再び図７に示す書籍「○△○△物語」の表示に戻る。
【００７４】
この表示で、ユーザが「ショッピングバックに入れる」選択項目を選択すると、これがサーバ１側に送信され、サーバ１の仮買い物部１９は、ショッピングバック内に書籍「○△○△物語」を購入希望商品の情報として入れ、かつ現在のショッピング状況を示す仮買い物情報として一時的にメモリ２３に保持する。
【００７５】
再び、ユーザが「ショッピングバックを見る」選択項目を選択すると、同仮買い物部１９は、メモリ２３に記憶されているショッピングバック内の購入希望商品の情報を検索し、図９に示すような現在までのショッピング状況をショッピング用端末装置３−１に送信する。これにより、ショッピング用端末装置３−１のディスプレイ１３には、図９に示す現在までのショッピング状況がディスプレイ１３に表示される。
【００７６】
このショッピング状況の表示例では、購入希望商品として商品名「○△○△物語」及び「○□○□辞典」をショッピングバック内に入れた例である。又、このショッピング状況の表示例には、サーバ１の補足演算部２２によって、これら書籍に関する補足情報、すなわち商品コード、単価、消費税、数量が表示されている。
【００７７】
このサーバ１の補足演算部２２は、商品名「○△○△物語」と「○□○□辞典」との単価、「２３３０円」「２５２４円」、消費税「７０円」「７６円」、数量「１」「１」を用いて演算処理して小計「５０００円」、配送料金「５００円」、合計「５５００円」、総額「５５００円」を求め、これら金額をショッピング状況とともにショッピング用端末装置３−１に送信する。
【００７８】
これにより、ショッピング用端末装置３−１のディスプレイ１３には、かかる金額等がディスプレイ１３に表示される。又、サーバ１の補足演算部２２は、金額計算書における様々な補正演算を行う機能を有しており、例えば購入希望商品の合計が所定額、例えば金額１００００円を越えれば、各商品の送料を無料とする機能を有している。従って、購入する商品の数量を増加したり、又は単価の高い商品を購入して、購入希望商品の合計が金額１００００円を越えると、補足演算部２２は配送料金を無料にする。
【００７９】
なお、このショッピング状況の表示には、ショッピング状況の例えば数量を変更するための「変更内容確認」選択項目、現在のショッピング状況で購入申込みを行うための「申込書記入」選択項目、「ショッピングに戻る」選択項目が表示されている。
【００８０】
ここで、ユーザがマウス１６等を操作して「変更内容確認」選択項目を選択すると、これがサーバ１側に送信され、このサーバ１の仮買い物部１９は、その選択情報を受けて商品「○△○△物語」や「○□○□辞典」の各数量を変更したり、又はこれら商品「○△○△物語」や「○□○□辞典」を取り止めする。
【００８１】
再び、ユーザが「ショッピングに戻る」選択項目をマウス１６等により選択すると、同仮買い物部１９は、図７に示すような書籍「○△○△物語」の表示に戻す情報をショッピング用端末装置３−１に送信するので、この端末装置３−１の表示は図７に示すような各書籍のショッピングを行う状態に戻る。
【００８２】
ところで、ショッピング用端末装置３−１では、図９に示す現在までのショッピング状況を、例えば図１０に示すようにディスプレイ１３の１画面中の左右に２画面同時に表示するマルチウィンドウ機能がある。
【００８３】
このようなマルチウィンドウ表示において、例えば左右両画面において各商品「○△○△物語」「○□○□辞典」の各数量がそれぞれ「１」の場合、左側のショッピング状況の画面で商品「○△○△物語」の数量を「３」に変更すると、これがサーバ１側に送信され、このサーバ１のショッピング確認部２１は、ショッピング状況において商品「○△○△物語」の数量を「３」、「○□○□辞典」の数量を「１」とし、これを最新の購入希望商品の情報として認識する。
【００８４】
この後、右側のショッピング状況の画面において、ユーザが「申込書記入」選択項目を選択すると、サーバ１のショッピング確認部２１は、最新の購入希望商品情報が商品「○△○△物語」の数量を「３」、「○□○□辞典」の数量を「１」として認識している。
【００８５】
従って、サーバ１のショッピング確認部２１は、最新の購入希望商品情報と右側のショッピング状況の商品「○△○△物語」の数量「１」、「○□○□辞典」の数量「１」とは整合性が取れていないと判断し、図１１に示すようなショッピングバック情報「前画面で参照していた現在までのショッピング状況と現時点で入っているショッピングバックの中の商品とでは中身の情報が違います。確認してください。」のメッセージをショッピング用端末装置３−１に送信する。
【００８６】
これにより、ショッピング用端末装置３−１のディスプレイ１３には、かかるメッセージが表示される。
【００８７】
又、ショッピング用端末装置３−１のディスプレイ１３に、図９に示す現在までのショッピング状況が表示されている状態に、インターネット通信技術に関する知識を有する者が、例えば商品の単価「２３３０円」や配送料金「５００円」等を単価「２０００円」、配送料金「３００円」に改ざんし、これをサーバ１に送信すると、このサーバ１のデータ改変防止部２０は、ショッピング用端末装置３−１から送信された商品情報とサーバ１で持っている本来の商品情報とを比較し、商品に関する本質的な情報が異なっているかを判断する。
【００８８】
この場合、商品の単価「２０００円」や配送料金「３００円」が改ざんされているので、データ改変防止部２０は、本来の商品の単価「２３３０円」、配送料金「５００円」が改ざんされて異なっていると判断し、その旨をメッセージとしてショッピング用端末装置３−１に返送し、さらには警報を発する。
【００８９】
これによりショッピング用端末装置３−１のディスプレイ１３には、商品の単価や配送料金を改ざんした旨が表示され、かつその警報が表示される。
【００９０】
ユーザが「最新のショッピングバックをみる」の選択項目を選択すると、これがサーバ１側に送信され、サーバ１の仮買い物部１９は、最新の購入希望商品情報である商品「○△○△物語」の数量「３」、「○□○□辞典」の数量「１」とした現在までのショッピング状況をショッピング用端末装置３−１に送信する。
【００９１】
これにより、ショッピング用端末装置３−１のディスプレイ１３には、かかる現在までのショッピング状況がディスプレイ１３に表示される。
【００９２】
次に現在までのショッピング状況の表示状態、例えば図９に示すショッピング状況の表示において、ユーザが「申込書記入」の選択項目を選択すると、これがサーバ１側に送信され、サーバ１の仮買い物部１９は、図１２に示すような申込書としての会員＆商品発送情報入力をショッピング用端末装置３−１に送信する。
【００９３】
これにより、ショッピング用端末装置３−１のディスプレイ１３には、かかる会員＆商品発送情報入力がディスプレイ１３に表示される。この会員＆商品発送情報入力には、会員ＩＤ、パスワード、商品のお届け先、さらには自宅以外の届け先の場合のために名前、郵便番号、住所、電話番号の各入力欄がある。
【００９４】
なお、「申込書確認」、「申込取消」、「リセット」の各選択項目が表示されている。この会員＆商品発送情報入力へのキー入力が終了し、ユーザが「申込書確認」を選択すると、これがサーバ１側に送信され、サーバ１の仮買い物部１９は、会員＆商品発送情報入力にキー入力した会員ＩＤ及びパスワードと、予め登録されているユーザの電子証明書、会員ＩＤ、パスワードとを比較し、キー入力された会員ＩＤ及びパスワードが正しいか否かを判断する。
【００９５】
この判断の結果、キー入力された会員ＩＤ及びパスワードが正しくなければ、仮買い物部１９は、図１３に示すような会員ＩＤ＆パスワードエラーとして、「あなたの入力した会員ＩＤ又はパスワードが正しくありません。確認して正しい会員ＩＤとパスワードを入力してください。」のメッセージをショッピング用端末装置３−１に送信する。これにより、この端末装置３−１のディスプレイ１３には、かかるメッセージが表示される。
【００９６】
これに対して、キー入力した会員ＩＤ及びパスワードが正しければ、同仮買い物部１９は、図１４に示すような商品リストをショッピング用端末装置３−１に送信し、この端末装置３−１のディスプレイ１３に表示させる。
【００９７】
この商品リストは、購入希望商品として商品名「○△○△物語」及び「○□○□辞典」、商品コード、単価、消費税、数量、又購入先、小計（税込み）、配送料金、合計、総額、さらには依頼主、支払い方法、配達先氏名、配達先住所から成っている。
【００９８】
なお、支払い方法は、一括払い、分割払いなどの各種支払い方法を選択できるようになっている。そして、ユーザが「申し込み」選択項目を選択すると、これがサーバ１側に送信され、このサーバ１の仮買い物部１９は、商品購入があったと判断し、この後、主制御部１０の指令により、上記商品リストを購入希望商品情報として、ユーザＩＤ番号やユーザ個人情報等と共に暗号文情報に変換してショッピング用端末装置３−１から送信する。
【００９９】
このサーバ１は、インターネット２上でショッピング用端末装置３−１から送信されたユーザＩＤ番号、ユーザ個人情報等を用いてカード番号や個人秘密情報等を検索し、これらカード番号、個人秘密情報、購入希望商品の価格の合計額等をカード会社処理装置５に送信して与信調査を依頼する。
【０１００】
このカード会社処理装置５は、サーバ１からの与信調査依頼を受け、そのユーザに対して受付け番号を付し、購入希望商品の合計額やユーザの個人情報等の情報に基づいてユーザに対する与信調査、例えばカードの有効期限内であるかどうか、損失カードであるか否か、盗まれたカードか否か、カード利用限度額以内であるか否か等の与信調査を行い、その与信調査結果をサーバ１に返送する。
【０１０１】
なお、ユーザに対して受付け番号は、与信調査依頼時に返送されてくるので、サーバ１は受付け番号を直ちにショッピング用端末装置３−１に返送する。このショッピング用端末装置３−１は、受信したユーザの受付け番号を、例えば図１５に示すようにディスプレイ１４に表示する。
【０１０２】
この後、サーバ１では、カード会社処理装置５からの与信調査結果を受けると、この与信調査結果に基づいてユーザの商品の購入可能か又は不可能かを審査し、この審査結果、例えば商品の購入可能のメッセージをショッピング用端末装置３−１に対して送信する。
【０１０３】
このユーザが商品購入可能な場合、サーバ１は、購入希望商品情報に基づいて商品を発注する商品販売店の端末４に対して発注情報を送信する。この発注情報を受け取った商品販売店は、商品の発注情報を確認し、その商品をショッピング用端末装置３−１のユーザに発送する。そして、ユーザは、銀行を介してカード会社に商品の金額を自動的に振り込む。
【０１０４】
そして、カード会社は、手数料を差し引いた金額をサーバ１を持つ電子決済の主幹会社に支払う。なお、カード会社は、手数料を差し引いた金額からサーバ１を有する主幹会社に手数料を支払う。
【０１０５】
又、商品販売店端末４は、サーバ１に対してユーザに発送した商品の金額の請求を送信する。一方、サーバ１は、商品販売店端末４から請求された商品の金額と、カード会社処理装置５からの支払われた金額とをそれぞれ確認し、手数料を差し引いた金額を商品販売店の口座に振り込む。
【０１０６】
このように上記一実施の形態においては、ショッピング用端末装置３−１〜３−ｎにおいて商品情報から選択された購入希望商品の情報を、サーバ１側で現在のショッピング状況を示す仮買い物情報として作成し、この仮買い物情報をショッピング用端末装置３−１〜３−ｎに返送するので、多数の商品を纏めて購入する場合や、１度購入する商品を決めても、その後、購入することが無くなったりする場合、そうした場合でも現在のショッピング状況、例えば現在の購入商品の総額が直ぐに分かり、実際の販売店でショッピングするような感覚でショッピングできる。すなわち、購入希望商品の数量の増減や削除などの変更が容易にできる。
【０１０７】
このショッピングのとき、商品情報のうち商品に関する補足情報、例えば単価や送料を呼び出し、これらを購入希望商品情報に基づいて演算処理して購入希望商品の総額等を求めるので、現在のショッピング状況が分かり、より実際の販売店でショッピングするような感覚でショッピングできる。
【０１０８】
又、サーバ１とショッピング用端末装置３−１〜３−ｎの間で通信を行う場合、電子証明書の他にＩＤ番号、パスワードを用いて互いの認証を行うので、サーバ１とショッピング用端末装置３−１〜３−ｎとの間で通信相手を特定でき、例えば他人のショッピングバック内に誤って購入希望商品を入れることはなくなり、電子ショッピングの信頼性を向上できる。
【０１０９】
又、サーバ１において、ショッピング用端末装置３−１〜３−ｎからの商品情報とサーバ１で持っている本来の商品情報とを比較し、これら商品情報，例えば商品の単価や配送料金が異なっていれば、本来の商品情報と異なっている旨をショッピング用端末装置３−１〜３−ｎに報知しかつ警報を発するので、商品情報の改ざん等を防止できる。
【０１１０】
又、サーバ１において、ショッピング用端末装置３−１〜３−ｎで選択された最新の購入希望商品の情報を記憶し、次にショッピング用端末装置３−１〜３−ｎから送信された購入希望商品情報と最新の購入希望商品情報との整合性が取れていなければ、その旨をショッピング用端末装置３−１〜３−ｎに報知するので、現在までのショッピング状況と現時点で入っているショッピングバックの中の商品との中身の情報に違いが生じることはなくなる。
【０１１１】
次に本発明の別の実施の形態について説明する。なお、図１及び図２と同一部分には同一符号を付してその詳しい説明は省略する。図１６は電子ショッピングシステムの構成図である。
【０１１２】
この電子ショッピングシステムは、上記一実施の形態においてサーバ１と各ショッピング用端末装置３−１〜３−ｎとの間のみインターネット２で接続した構成を、サーバ１と商品販売店の端末４と間及びサーバ１と決済機関としてのカード会社処理装置５との間もそれぞれインターネット３０、３１を介して接続した構成である。
【０１１３】
これらショッピング用端末装置３−１〜３−ｎの主制御部１０には、上記図２に示すと同様に、通信部１１からインターネット２を介してサーバ１が接続され、かつ駆動部１２を介してディスプレイ１３、入出力部１４を介してキーボード１５及びマウス１６及びメモリ１７が接続され、かつ主制御部１０の指令により動作する認証部１８ａが備えられている。
【０１１４】
この認証部１８ａは、サーバ１との間において互いに認証を行い、両者の認証が正しい場合にのみサーバ１との間で接続を行い、このサーバ１との間で情報の送受信を許可する機能を有している。
【０１１５】
一方、サーバ１は、上記図２に示すと同様に、認証部１８ｂ、仮買い物部１９、データ改変防止部２０、ショッピング確認部２１及び補足演算部２２の各機能を有し、さらにはメモリ２３、ディスプレイ２４を備えている。
【０１１６】
このうち認証部１８ｂは、ショッピング用端末装置３−１〜３−ｎ側の認証部１８ａと同様に、ショッピング用端末装置３−１〜３−ｎとの間において互いに認証を行い、両者の認証が正しい場合にのみショッピング用端末装置３−１〜３−ｎとの間で接続を行い、これらショッピング用端末装置３−１〜３−ｎとの間で情報の送受信を許可する機能を有している。
【０１１７】
なお、サーバ１とショッピング用端末装置３−１〜３−ｎとの間を接続するには、互いに電子証明書を送って認証を行い、その他にユーザＩＤ番号、パスワードを送るものとなっている。
【０１１８】
すなわち、これら認証部１８ａ、１８ｂは、上記図３及び図４に示すような公知の認証方式又は上記図５及び図６に示すような別の認証方式を用い、サーバ１とショッピング用端末装置３−１〜３−ｎとの間の情報を符号化し、この情報の改ざんや変質を防止し、かつ通信相手である例えばショッピング用端末装置３−１〜３−ｎのみを特定して情報の送受信を行う機能を有する。
【０１１９】
このうちサーバ１の認証部１８ｂは、サーバ１と複数のショッピング用端末装置３−１〜３−ｎとの間のみならず商品販売店の端末４、カード会社処理装置５のと各間においてそれぞれ互いに認証を行い、両者の認証が正しい場合にのみサーバ１と各ショッピング用端末装置３−１〜３−ｎとの間、及び商品販売店の端末４、カード会社処理装置５との各間においてそれぞれ情報の送受信を許可する機能を有している。
【０１２０】
なお、これらサーバ１と各ショッピング用端末装置３−１〜３−ｎ、商品販売店の端末４、又はカード会社処理装置５との各間とを接続するには、サーバ１は電子証明書を、各ショッピング用端末装置３−１〜３−ｎ、商品販売店の端末４、カード会社処理装置５は電子証明書及びＩＤ番号、パスワードを発信する。
【０１２１】
すなわち、認証部１８ｂは、サーバ１と各ショッピング用端末装置３−１〜３−ｎ、商品販売店の端末４、カード会社処理装置５との間の情報を符号化し、この情報の改ざんや変質を防止し、かつ通信相手すなわち会員として登録されている各ショッピング用端末装置３−１〜３−ｎ、商品販売店の端末４又はカード会社処理装置５のみを特定して情報の送受信を行う機能を有している。
【０１２２】
このような構成であれば、サーバ１と各ショッピング用端末装置３−１〜３−ｎ、例えばショッピング用端末装置３−１との間では、上記同様の認証動作が行われ、これらサーバ１とショッピング用端末装置３−１との間で互いに認証が正しいとされると、サーバ１とショッピング用端末装置３−１との間は、インターネット２を介して接続され、サーバ１から送信された商品情報や商品購入メッセージがショッピング用端末装置３−１に受信される。
【０１２３】
ショッピング用端末装置３−１において、そのユーザの選択作業により購入希望商品が選択されると、ショッピング用端末装置３−１は、サーバ１に対して購入希望商品情報やユーザＩＤ番号、ユーザ個人情報等を暗号文情報に変換して送信する。
【０１２４】
又、サーバ１とカード会社処理装置５との間では、上記同様の認証動作が行われ、これらサーバ１とカード会社処理装置５５との間で互いに認証が正しいとされると、サーバ１とカード会社処理装置５との間は、インターネット３１を介して接続され、サーバ１から送信された与信調査依頼や売上データなどがカード会社処理装置５に受信される。
【０１２５】
このカード会社処理装置５は、与信調査依頼を受けると共に、購入希望商品の合計額及びユーザの個人情報を受け取り、このユーザに対して受付け番号を付し、購入希望商品の合計額やユーザの個人情報等の情報に基づいてユーザに対する与信調査、例えばカードの有効期限内であるかどうか、損失カードであるか否か、盗まれたカードか否か、カード利用限度額以内であるか否か等の与信調査を行い、その与信調査結果をサーバ１に返送する。
【０１２６】
又、サーバ１と商品販売店の端末４との間では、上記同様の認証動作が行われ、これらサーバ１と端末４との間で互いに認証が正しいとされると、サーバ１と端末４との間は、インターネット３０を介して接続され、サーバ１から送信された発注情報などが商品販売店の端末４に受信される。
【０１２７】
この端末４からは、商品をユーザに発送したことの確認の後、その商品発送データがサーバ１に返送される。なお、サーバ１が端末４との間での互いの認証の後、商品販売店の端末４に対して在庫データの要求を行うと、端末４からは、在庫データがサーバ１に返送される。
【０１２８】
このようにサーバ１と各ショッピング用端末装置３−１〜３−ｎとの間のみでなく、サーバ１と商品販売店の端末４、カード会社処理装置５との間もそれぞれインターネット３０、３１を介して接続したので、上記一実施の形態と同様の効果を奏することは言うまでもなく、これらサーバ１、各ショッピング用端末装置３−１〜３−ｎ、商品販売店の端末４及びカード会社処理装置５との間を全てデータ通信で行え、そのうえサーバ１と各ショッピング用端末装置３−１〜３−ｎ、商品販売店の端末４及びカード会社処理装置５との間での電子認証の後のデータ通信により、これらデータを改ざんや変質される虞がなく、電子決済システムとして電子決済の信頼性をより高くできる。
【０１２９】
なお、本発明は、上記一実施の形態に限定されるものでなく次の通り変形してもよい。サーバ１は、各ショッピング用端末装置３−１〜３−ｎやカード会社処理装置５、商品販売店端末４、証明書発行装置６との間の通信網をインターネット２に限らず、他の通信網を適用してもよい。
【０１３０】
又、商品販売店は、１店に限らず、複数店にすることは容易に可能であり、それにより電子決済する店舗を増加し、ユーザに対する商品購入の便宜を図ることができる。
【０１３１】
さらに、サーバ１における認証部１８、仮買い物部１９、データ改変防止部２０、ショッピング確認部２１及び補足演算部２２の各機能を、各ショッピング用端末装置３−１〜３−ｎに備えるようにしてもよい。
【０１３２】
【発明の効果】
以上詳記したように本発明によれば、現在のショッピング状況を容易に把握できる電子ショッピングシステムを提供できる。又、本発明によれば、他のユーザの購入希望商品が誤って入ることを防止できる電子ショッピングシステムを提供できる。又、本発明によれば、商品に関する価格等の補足情報の改ざんを防止できる電子ショッピングシステムを提供できる。
【図面の簡単な説明】
【図１】本発明に係わる電子ショッピングシステムの一実施の形態を示す全体構成図。
【図２】同システムの具体的な構成図。
【図３】サーバとショッピング用端末装置との間での端末装置における認証方式を示す模式図。
【図４】サーバとショッピング用端末装置との間でのサーバにおける認証方式を示す模式図。
【図５】サーバとショッピング用端末装置との間での端末装置における別の認証方式を示す模式図。
【図６】サーバとショッピング用端末装置との間でのサーバにおける別の認証方式を示す模式図。
【図７】ディスプレイに表示された商品情報である書籍の一例を示す図。
【図８】商品が入っていないときのショッピングバック情報の表示例を示す図。
【図９】現在までのショッピング状況の表示例を示す図。
【図１０】ショッピング状況をマルチウィンドウ表示したときのショッピング確認作用を説明するための図。
【図１１】ショッピングバックの中身の違うときのショッピングバック情報の表示例を示す図。
【図１２】申込書である会員＆商品発送情報入力の一例を示す図。
【図１３】会員ＩＤ又はパスワードが正しくないときのメッセージ表示例を示す図。
【図１４】申込書の商品リストを示す図。
【図１５】ユーザの受付け番号の表示を示す図。
【図１６】本発明に係わる電子ショッピングシステムの別の実施の形態の構成図。
【符号の説明】
１…サーバ、
２…インターネット、
３−１〜３−ｎ…ショッピング用端末装置、
４…商品販売店端末、
５…カード会社処理装置、
６…証明書発行装置、
１０…主制御部、
１３…ディスプレイ、
１８…認証部、
１９…仮買い物部、
２０…データ改変防止部、
２１…ショッピング確認部、
２２…補足演算部、
３０，３１…インターネット。
【図１】
0004576087.tif 000002
【図２】
0004576087.tif 000003
【図３】
0004576087.tif 000004
【図４】
0004576087.tif 000005
【図５】
0004576087.tif 000006
【図６】
0004576087.tif 000007
【図７】
0004576087.tif 000008
【図８】
0004576087.tif 000009
【図９】
0004576087.tif 000010
【図１０】
0004576087.tif 000011
【図１１】
0004576087.tif 000012
【図１２】
0004576087.tif 000013
【図１３】
0004576087.tif 000014
【図１４】
0004576087.tif 000015
【図１５】
0004576087.tif 000016
【図１６】
0004576087.tif 000017